(57)【要約】      （修正有）【課題】文字情報と画像情報が任意の割合で含まれる投稿された情報を分類する情報分類プログラム及び情報処理装置を提供する。【解決手段】マイクロブログ分類サーバ１は、文字情報及び／又は画像情報からなる複数の投稿された情報を含むマイクロブログ情報１１１を取得するマイクロブログ取得手段１００と、マイクロブログ情報１１１の投稿情報から画像情報を除いて複数の文章を含む文字情報を生成し、当該文字情報の各文章を第１のカテゴリに分類する文字情報分類手段１０１と、文字情報を除いた投稿情報として画像情報を生成し、当該画像情報の各画像を第２のカテゴリに分類する画像情報分類手段１０２と、分類された文章及び前記分類された画像を、第１のカテゴリ及び第２のカテゴリに基づいて対応付けるカテゴリ対応付手段１０３と、対応付けられた文章及び画像を分類毎に出力する分類結果出力手段１０４とを有する。【選択図】図２
2014021645.tif 000002
【特許請求の範囲】
【請求項１】
コンピュータを、
文字情報及び／又は画像情報からなる複数の投稿された情報を取得する取得手段と、
前記複数の投稿された情報から画像情報を除いて複数の文章を含む文字情報を生成し、当該文字情報の各文章を第１のカテゴリに分類する分類手段と、
前記複数の投稿された情報から文字情報を除いた投稿された情報として画像情報を生成し、当該画像情報の各画像を第２のカテゴリに分類する分類手段と、
前記分類された文章及び前記分類された画像を、前記第１のカテゴリ及び前記第２のカテゴリに基づいて対応付ける対応付手段と、
前記対応付手段によって対応付けられた文章及び画像を分類毎に出力する出力手段として機能させるための情報分類プログラム。
【請求項２】
前記出力手段は、前記文章と前記画像をそれぞれ独立して分類毎に出力する請求項１に記載の情報分類プログラム。
【請求項３】
前記対応付手段は、前記第１のカテゴリと前記第２のカテゴリとを総合カテゴリによって対応づける対応情報を有し、前記分類された文章及び前記分類された画像を、前記第１のカテゴリ、前記第２のカテゴリ及び前記対応情報の前記総合カテゴリに基づいて対応付ける請求項１又は２に記載の情報分類プログラム。
【請求項４】
文字情報及び／又は画像情報からなる複数の投稿された情報を取得する取得手段と、
前記複数の投稿された情報から画像情報を除いて複数の文章を含む文字情報を生成し、当該文字情報の各文章を第１のカテゴリに分類する分類手段と、
前記複数の投稿された情報から文字情報を除いた投稿された情報として画像情報を生成し、当該画像情報の各画像を第２のカテゴリに分類する分類手段と、
前記分類された文章及び前記分類された画像を、前記第１のカテゴリ及び前記第２のカテゴリに基づいて対応付ける対応付手段と、
前記対応付手段によって対応付けられた文章及び画像を分類毎に出力する出力手段とを有する情報処理装置。
【発明の詳細な説明】
【技術分野】
【０００１】
本発明は、情報分類プログラム及び情報処理装置に関する。
【背景技術】
【０００２】
従来の技術として、文章を入力した利用者に対して入力した文章に含まれる用語に対応した広告等を表示する情報処理装置が提案されている（例えば、特許文献１参照）。
【０００３】
特許文献１に開示された情報処理装置は、Ｔｗｉｔｔｅｒ（登録商標）等のように投稿された複数の文字情報と画像情報とが混在して時系列表示されるマイクロブログにおいて、ある利用者によって入力された文章を取得し、取得した文章から自然言語処理によって用語を抽出し、抽出された用語によって利用者を分類して、当該用語に対応した広告等を利用者に対して提示する。
【先行技術文献】
【特許文献】
【０００４】
【特許文献１】特開２００９−１９３１３３号公報
【発明の概要】
【発明が解決しようとする課題】
【０００５】
本発明の目的は、文字情報と画像情報が任意の割合で含まれる投稿された情報を分類する情報分類プログラム及び情報処理装置を提供することにある。
【課題を解決するための手段】
【０００６】
本発明の一態様は、上記目的を達成するため、以下の情報分類プログラム及び情報処理装置を提供する。
【０００７】
［１］コンピュータを、
文字情報及び／又は画像情報からなる複数の投稿された情報を取得する取得手段と、
前記複数の投稿された情報から画像情報を除いて複数の文章を含む文字情報を生成し、当該文字情報の各文章を第１のカテゴリに分類する分類手段と、
前記複数の投稿された情報から文字情報を除いた投稿された情報として画像情報を生成し、当該画像情報の各画像を第２のカテゴリに分類する分類手段と、
前記分類された文章及び前記分類された画像を、前記第１のカテゴリ及び前記第２のカテゴリに基づいて対応付ける対応付手段と、
前記対応付手段によって対応付けられた文章及び画像を分類毎に出力する出力手段として機能させるための情報分類プログラム。
【０００８】
［２］前記出力手段は、前記文章と前記画像をそれぞれ独立して分類毎に出力する前記［１］に記載の情報分類プログラム。
【０００９】
［３］前記対応付手段は、前記第１のカテゴリと前記第２のカテゴリとを総合カテゴリによって対応づける対応情報を有し、前記分類された文章及び前記分類された画像を、前記第１のカテゴリ、前記第２のカテゴリ及び前記対応情報の前記総合カテゴリに基づいて対応付ける前記［１］又は［２］に記載の情報分類プログラム。
【００１０】
［４］  文字情報及び／又は画像情報からなる複数の投稿された情報を取得する取得手段と、
前記複数の投稿された情報から画像情報を除いて複数の文章を含む文字情報を生成し、当該文字情報の各文章を第１のカテゴリに分類する分類手段と、
前記複数の投稿された情報から文字情報を除いた投稿された情報として画像情報を生成し、当該画像情報の各画像を第２のカテゴリに分類する分類手段と、
前記分類された文章及び前記分類された画像を、前記第１のカテゴリ及び前記第２のカテゴリに基づいて対応付ける対応付手段と、
前記対応付手段によって対応付けられた文章及び画像を分類毎に出力する出力手段とを有する情報処理装置。
【発明の効果】
【００１１】
請求項１又は４に係る発明によれば、文字情報と画像情報が任意の割合で含まれる投稿された情報を分類することができる。
【００１２】
請求項２に係る発明によれば、文章と画像をそれぞれ独立して分類毎に出力することができる。
【００１３】
請求項３に係る発明によれば、総合カテゴリに対応付けられた第１のカテゴリに属する文章と、第２のカテゴリに属する画像を対応付けることができる。
【図面の簡単な説明】
【００１４】
【図１】図１は、本発明の第１の実施の形態に係るマイクロブログ分類システムの構成の一例を示すブロック図である。
【図２】図２は、マイクロブログ分類サーバの構成の一例を示すブロック図である。
【図３】図３は、マイクロブログ情報の構成の一例を示す概略図である。
【図４】図４は、マイクロブログ文字情報の構成の一例を示す概略図である。
【図５】図５は、マイクロブログ画像情報の構成の一例を示す概略図である。
【図６】図６は、マイクロブログ文字情報分類結果の構成の一例を示す概略図である。
【図７】図７は、マイクロブログ画像情報分類結果の構成の一例を示す概略図である。
【図８】図８は、マイクロブログ情報分類結果の構成の一例を示す概略図である。
【図９】図９は、マイクロブログ分類システムの動作の一例を示すフローチャートである。
【図１０】図１０は、マイクロブログ情報分類結果に基づいて作成されたウェブページ情報が表示処理された表示画面の一例を示す概略図である。
【図１１】図１１は、第２の実施の形態に係るマイクロブログ分類サーバの構成の一例を示すブロック図である。
【図１２】図１２は、カテゴリ対応情報の構成の一例を示す概略図である。
【発明を実施するための形態】
【００１５】
［第１の実施の形態］
（マイクロブログ分類システムの構成）
図１は、本発明の第１の実施の形態に係るマイクロブログ分類システムの構成の一例を示す概略図である。
【００１６】
このマイクロブログ分類システム６は、マイクロブログ分類サーバ１、マイクロブログサーバ２、ウェブサーバ３、端末４を有し、ネットワーク５で各装置を互いに通信可能に接続する。ここで、マイクロブログ（Ｍｉｃｒｏｂｌｏｇ）とは、投稿（送信）された複数の文字情報と画像情報とが混在して時系列表示されるものであり、具体的には、マイクロブログサーバ２に記憶されるマイクロブログ情報を端末４等の情報処理装置で表示処理することで表示されるものである。以下において、マイクロブログに投稿された情報の単位を簡単のため「投稿情報」と呼び、投稿情報には文字情報及び画像情報、文字情報のみ、画像情報のみが含まれる場合があるものとする。つまり、マイクロブログ情報は複数の投稿情報を有する。
【００１７】
マイクロブログ分類サーバ１は、情報を処理するための機能を備えたＣＰＵ（Ｃｅｎｔｒａｌ  Ｐｒｏｃｅｓｓｉｎｇ  Ｕｎｉｔ）や記憶部等の電子部品を備える情報処理装置であり、マイクロブログサーバ２からマイクロブログ情報を取得して、投稿情報中に含まれる複数の文字情報と画像情報をカテゴリ毎に分類する。
【００１８】
マイクロブログサーバ２は、情報を処理するための機能を備えたＣＰＵや記憶部等の電子部品を備える情報処理装置であり、端末４等から送信された文章等の文字情報及び／又は写真等の静止画や動画に関する画像情報（投稿情報）を受け付けて、これらの投稿情報を時系列表示するためのマイクロブログ情報を生成する。また、マイクロブログサーバ２は、端末４からマイクロブログ情報の閲覧要求を受け付けると、マイクロブログ情報を端末４へ送信する。なお、投稿情報中の画像情報には、静止画や動画に関する情報を直接含むものの他、静止画や動画に関する情報が格納されているリンク先情報を含むものとする。また、投稿情報中の文字情報は、文章に関する情報を直接含むものの他、テキストファイルやＨＴＭＬファイル等の情報が格納されているリンク先情報を含むものであってもよい。
【００１９】
ウェブサーバ３は、情報を処理するための機能を備えたＣＰＵや記憶部等の電子部品を備える情報処理装置であり、記憶部にＨＴＭＬファイル等のウェブページを表示するためのウェブページ情報を記憶して、端末４からウェブページの閲覧要求を受け付けると、ウェブページ情報を端末４へ送信する。なお、ウェブページ情報は、後述するようにマイクロブログ分類サーバ１が生成する分類結果情報に基づいて生成されるものである。
【００２０】
端末４は、操作入力用のタッチパネル等の操作部と、タッチパネル下に設けられた液晶ディスプレイ等の表示部と、ＣＰＵや記憶部等の電子部品を有する制御部とを備える。端末４は、利用者の操作に応じてマイクロブログサーバ２に対して文章や画像等の投稿情報を送信することでマイクロブログに投稿する。また、端末４は、利用者の操作に応じてマイクロブログサーバ２にマイクロブログの閲覧要求を送信し、当該閲覧要求の結果、マイクロブログサーバ２からマイクロブログ情報を受信するとマイクロブログの投稿情報に含まれる文章や画像（静止画又は動画）を表示部に表示する。
【００２１】
また、端末４は、利用者の操作に応じてウェブサーバ３にウェブページの閲覧要求を送信し、当該閲覧要求の結果、ウェブサーバ３からウェブページに対応したウェブページ情報を受信すると、当該情報を表示処理してウェブページを表示部に表示する。
【００２２】
なお、端末４は、例えば、携帯電話機であり、その他にＰＤＡ（Ｐｅｒｓｏｎａｌ  Ｄｉｇｉｔａｌ  Ａｓｓｉｓｔａｎｔ）、パーソナルコンピュータ等を用いることもできる。また、端末４は、同図では１台を図示するが、複数台でもよい。
【００２３】
ネットワーク５は、インターネット、ＬＡＮ（Ｌｏｃａｌ  Ａｒｅａ  Ｎｅｔｗｏｒｋ）等の通信網であり、有線、無線は問わない。
【００２４】
（マイクロブログ分類サーバの構成）
図２は、マイクロブログ分類サーバ１の構成の一例を示すブロック図である。
【００２５】
このマイクロブログ分類サーバ１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部１１と、ネットワーク５を介して外部と通信する通信部１２とを備える。
【００２６】
制御部１０は、後述するマイクロブログ分類プログラム１１０を実行することで、マイクロブログ情報取得手段１００、文字情報分類手段１０１、画像情報分類手段１０２、カテゴリ対応付手段１０３及び分類結果出力手段１０４等として機能する。
【００２７】
マイクロブログ情報取得手段１００は、マイクロブログサーバ２からマイクロブログ情報１１１を取得し、記憶部１１に記憶する。なお、マイクロブログ情報１１１は、マイクロブログサーバ２に蓄積されたマイクロブログ情報のすべてを取得するものであってもよいし、予め定めた期間や、予め定めたキーワード等によりフィルタリングされたものを取得するものであってもよい。マイクロブログ情報１１１の取得方法については後述する。
【００２８】
文字情報分類手段１０１は、マイクロブログ情報取得手段１００が取得したマイクロブログ情報１１１の各投稿情報から画像情報を省いたもの、つまり文字情報のみをマイクロブログ文字情報１１２とし、さらにマイクロブログ文字情報１１２の各文字情報をカテゴリ毎に分類し、マイクロブログ文字情報分類結果１１４として記憶部１１に記憶する。
【００２９】
なお、文字情報分類手段１０１は、分類方法の一例として、予め各カテゴリに属する文章について複数の単語の各々の出現有無を判定し、当該出現有無を要素とする特徴ベクトルを生成することで学習しておき、分類対象の文字情報についても同様に特徴ベクトルを生成して、学習結果の特徴ベクトルと比較することにより各カテゴリに属するか判定することで分類する。
【００３０】
画像情報分類手段１０２は、マイクロブログ情報取得手段１００が取得したマイクロブログ情報１１１の各投稿情報から文字情報を省いたもの、つまり画像情報のみをマイクロブログ画像情報１１３とし、さらにマイクロブログ画像情報１１３の各画像をカテゴリ毎に分類し、マイクロブログ画像情報分類結果１１５として記憶部１１に記憶する。
【００３１】
なお、画像情報分類手段１０２は、分類方法の一例として、各カテゴリに関連する画像の特徴情報を生成して予め学習しておき、分類対象の画像情報の特徴情報を生成して、学習結果の特徴情報と比較することにより各カテゴリに属するか判定することで分類する。
【００３２】
カテゴリ対応付手段１０３は、マイクロブログ文字情報分類結果１１４と、マイクロブログ画像情報分類結果１１５とを、文字情報分類手段１０１及び画像情報分類手段１０２が分類したカテゴリに基づいて対応付けてマイクロブログ情報分類結果１１６として記憶部１１に記憶する。
【００３３】
分類結果出力手段１０４は、マイクロブログ情報分類結果１１６を外部の一例としてウェブサーバ３へと出力する。
【００３４】
記憶部１１は、マイクロブログ分類プログラム１１０、マイクロブログ情報１１１、マイクロブログ文字情報１１２、マイクロブログ画像情報１１３、マイクロブログ文字情報分類結果１１４、マイクロブログ画像情報分類結果１１５及びマイクロブログ情報分類結果１１６等を格納する。
【００３５】
マイクロブログ分類プログラム１１０は、制御部１０を上記した各手段１００〜１０４として動作させるプログラムである。
【００３６】
図３は、マイクロブログ情報１１１の構成の一例を示す概略図である。
【００３７】
マイクロブログ情報１１１は、一例として時系列順に付与された識別子を示すマイクロブログＩＤ欄と、投稿情報として入力された文章、画像（静止画又は動画）が格納された図示しない他のサーバのＵＲＬ又は文章とＵＲＬとからなる内容を示す内容欄とを有する。なお、内容欄のＵＲＬに代えて静止画や動画に関する情報を直接含むものであってもよい。
【００３８】
なお、各内容は本来、ユーザＩＤを有する利用者によって投稿されたものであり、また投稿された時刻を示す時刻情報を含むものであるが、ここではユーザＩＤ及び時刻情報を省略して表示している。
【００３９】
図４は、マイクロブログ文字情報１１２の構成の一例を示す概略図である。
【００４０】
マイクロブログ文字情報１１２は、図３に示すマイクロブログＩＤ欄と共通のマイクロブログＩＤ欄と、投稿情報として入力された文章からなる内容を示す文字内容欄とを有する。
【００４１】
つまり、マイクロブログ文字情報１１２は、マイクロブログ情報１１１から画像が格納されたＵＲＬのみの投稿情報を削除し、ＵＲＬを含む投稿情報のＵＲＬを削除したものである。
【００４２】
図５は、マイクロブログ画像情報１１３の構成の一例を示す概略図である。
【００４３】
マイクロブログ画像情報１１３は、図３に示すマイクロブログＩＤ欄と共通のマイクロブログＩＤ欄と、投稿情報として入力されたＵＲＬに格納された実際の画像情報を示す画像内容欄とを有する。
【００４４】
つまり、マイクロブログ画像情報１１３は、マイクロブログ情報１１１から文章のみの投稿情報を削除し、画像が格納されたＵＲＬから画像情報を取得したものである。
【００４５】
図６は、マイクロブログ文字情報分類結果１１４の構成の一例を示す概略図である。
【００４６】
マイクロブログ文字情報分類結果１１４は、図３に示すマイクロブログＩＤ欄と共通のマイクロブログＩＤ欄と、図４に示す文字内容欄と共通の文字内容欄と、文字内容欄の文章から分類された結果としてのカテゴリ名を示すカテゴリ欄とを有する。
【００４７】
図７は、マイクロブログ画像情報分類結果１１５の構成の一例を示す概略図である。
【００４８】
マイクロブログ画像情報分類結果１１５は、図３に示すマイクロブログＩＤ欄と共通のマイクロブログＩＤ欄と、図５に示す画像内容欄と共通の画像内容欄と、画像内容欄の画像情報から分類された結果のカテゴリ名を示すカテゴリ欄とを有する。
【００４９】
図８は、マイクロブログ情報分類結果１１６の構成の一例を示す概略図である。
【００５０】
マイクロブログ情報分類結果は、図３に示すマイクロブログＩＤ欄と共通のマイクロブログＩＤ欄と、図５に示す画像内容欄と共通の画像内容欄と、図４に示す文字内容欄と共通の文字内容欄と、図６及び図７に示すカテゴリ欄と共通のカテゴリ欄を有する。
【００５１】
（マイクロブログ分類システムの動作）
次に、本実施の形態の作用を、（１）基本動作、（２）マイクロブログ情報取得動作、（３）マイクロブログ分類動作、（４）分類結果出力動作に分けて説明する。
【００５２】
（１）基本動作
まず、端末４の利用者は、端末４においてマイクロブログに投稿情報を送信するための操作を行う。
【００５３】
端末４は、利用者の操作に応じて、マイクロブログサーバ２に対して文章や画像等を含む投稿情報を送信することでマイクロブログに投稿する。
【００５４】
マイクロブログサーバ２は、端末４から投稿情報を受信することでマイクロブログ情報を蓄積していく。
【００５５】
また、端末４の利用者は、端末４においてマイクロブログの閲覧のための操作を行う。
【００５６】
端末４は、利用者の操作に応じて、マイクロブログサーバ２に対してマイクロブログ情報の閲覧要求を送信する。
【００５７】
マイクロブログサーバ２は、端末４に対してマイクロブログ情報を送信する。
【００５８】
端末４は、マイクロブログサーバ２からマイクロブログ情報を受信するとマイクロブログの文章や画像を表示部に表示する。
【００５９】
一方、ウェブサーバ３の管理者は、ウェブサーバ３に設置するウェブページを作成する材料としての情報を、マイクロブログ分類サーバ１に要求する。なお、ウェブサーバ３が定期的にマイクロブログ分類サーバ１に要求するものであってもよい。
【００６０】
マイクロブログ分類サーバ１は、要求に応じて以下のように動作する。
【００６１】
図９は、マイクロブログ分類システムの動作の一例を示すフローチャートである。
【００６２】
（２）マイクロブログ情報取得動作
まず、マイクロブログ情報取得手段１００は、マイクロブログサーバ２から対象とするマイクロブログ情報１１１を取得する（Ｓ１）。
【００６３】
マイクロブログ情報取得手段１００は、マイクロブログ情報１１１としてマイクロブログサーバ２のすべてのマイクロブログ情報を取得してもよいが、その一部を取得することで後述する処理の負担を軽減することができる。マイクロブログ情報の一部を取得する方法は、一例として、以下のようなものが挙げられる。
【００６４】
まず、マイクロブログ情報取得手段１００は、ウェブサーバ３の内容に関連するキーワードを複数指定する。
【００６５】
次に、マイクロブログ情報取得手段１００は、複数のキーワードから選択した一のキーワードを含む投稿情報を検索する。
【００６６】
次に、マイクロブログ情報取得手段１００は、検索された当該投稿情報のユーザを特定し、特定したユーザの投稿情報のうち、予め定めた期間の投稿情報から指定された他のキーワードを含む投稿情報を検索する。次に、一のキーワードを含む投稿情報から他のキーワードを含む投稿情報までの一連の投稿情報を取得する。
【００６７】
上記したようにマイクロブログサーバ２のマイクロブログ情報の一部を取得することで、あるキーワードに対してあるユーザが送信した投稿情報の一連のマイクロブログ情報を取得することができる。
【００６８】
（３）マイクロブログ分類動作
次に、文字情報分類手段１０１は、図３に示すマイクロブログ情報１１１の投稿情報から画像情報を省いたもの、つまり文字情報のみを図４に示すマイクロブログ文字情報１１２とする（Ｓ２）。図３に示す例では、画像情報の格納先であるＵＲＬを削除している。
【００６９】
さらに文字情報分類手段１０１は、図４に示すマイクロブログ文字情報１１２の各文字情報をカテゴリ毎に分類し、図６に示すようにマイクロブログ文字情報分類結果１１４として記憶部１１に記憶する（Ｓ３）。
【００７０】
一方、画像情報分類手段１０２は、図３に示すマイクロブログ情報取得手段１００が取得したマイクロブログ情報１１１から文字情報を省いたもの、つまり画像情報のみを図５に示すマイクロブログ画像情報１１３とする（Ｓ４）。図４に示す例では、文字情報を削除し、格納先であるＵＲＬから画像情報を取得している。
【００７１】
さらに画像情報分類手段１０２は、図４に示すマイクロブログ画像情報１１３の各画像をカテゴリ毎に分類し、図７に示すようにマイクロブログ画像情報分類結果１１５として記憶部１１に記憶する。
【００７２】
次に、カテゴリ対応付手段１０３は、図６に示すマイクロブログ文字情報分類結果１１４と、図７に示すマイクロブログ画像情報分類結果１１５とを、カテゴリ欄に示されたカテゴリに基づいて対応付け、図８に示すマイクロブログ情報分類結果１１６として記憶部１１に記憶する。
【００７３】
（４）分類結果出力動作
次に、分類結果出力手段１０４は、マイクロブログ情報分類結果１１６をウェブサーバ３へと出力する（Ｓ７）。
【００７４】
ウェブサーバ３は、マイクロブログ情報分類結果１１６に基づいてウェブページを作成する。
【００７５】
なお、上記した「（２）マイクロブログ情報取得動作」、「（３）マイクロブログ分類動作」は予め定められた時間間隔で、又はマイクロブログサーバ２のマイクロブログ情報が更新される度に実行してもよく、その場合にはマイクロブログ分類サーバ１からマイクロブログ情報分類結果１１６が逐次ウェブサーバ３に送信される。また、ウェブサーバ３は、マイクロブログ情報分類結果１１６を受信する度にウェブページの内容を更新するものとする。
【００７６】
一方、端末４は、ウェブサーバ３にウェブページの閲覧要求を送信する。ウェブサーバ３は、閲覧要求に応じて端末４にウェブページに対応するウェブページ情報を送信する。
【００７７】
端末４は、ウェブサーバ３からウェブページ情報を受信すると、当該ウェブページ情報を表示処理してウェブページを表示部に表示する。
【００７８】
図１０は、マイクロブログ情報分類結果１１６に基づいて作成されたウェブページ情報が表示処理された表示画面の一例を示す概略図である。
【００７９】
ウェブページ表示画面４０は、一例として過去の花火大会の様子を伝えるものであり、タイトル４００と、文字情報分類手段１０１及び画像情報分類手段１０２が分類したカテゴリ毎に、画像情報が表示される画像表示領域４０１ａ、４０２ａ…と、文字情報が表示される文字表示領域４０１ｂ、４０２ｂ…とを有する。
【００８０】
なお、ウェブサーバ３は、マイクロブログ情報分類結果１１６を受信する度にウェブページ情報の内容を更新するが、画像表示領域４０１ａ、４０２ａ…と、文字表示領域４０１ｂ、４０２ｂ…とは、それぞれ独立して更新されるものであってもよい。これは、一般的に現在運用されているマイクロブログにおいては、文字情報の数に対する画像情報の数が少ない場合が多いためである。つまり、分類したカテゴリ毎の、画像情報の数（例えば、静止画の数）と文字情報の数（文章として入力された投稿情報の数）とは異なり、同時に更新すると文字情報の表示に要する文字表示領域４０１ｂ、４０２ｂ…が画像情報の表示に要する画像表示領域４０１ａ、４０２ａ…に比べて大きいものとなり、バランスを欠くためである。
【００８１】
従って、画像情報と文字情報とで表示の更新タイミングを異なるものにしてもよい。この場合、画像情報の表示更新タイミングを文字情報の表示更新タイミングに比べて遅く設定することで上記問題に対応することができる。また、この逆に設定してもよい。
【００８２】
これは、例えば、カテゴリ「花火」の画像情報として１００の画像が分類されて、カテゴリ「花火」の文書情報として、１０００の文字情報が分類された場合に、画像情報の表示更新タイミングを文書情報の表示更新タイミングよりも遅くする（例えば、１０倍の時間かけて更新する）ことで、文字表示領域４０１ｂ、４０２ｂ…と画像表示領域４０１ａ、４０２ａ…の表示のバランスを維持することができる。
【００８３】
また、ウェブサーバ３のウェブページの種類は特に限定されるものではなく、図１０に示したような過去イベントのレポートの他、一例として、イベントの実行委員が閲覧する苦情レポート、何らかのキーワードに関するまとめサイト等が挙げられる。
【００８４】
（実施の形態の効果）
上記した第１の実施の形態によると、マイクロブログ情報１１１をマイクロブログ文字情報１１２とマイクロブログ画像情報１１３とに分けて、マイクロブログ文字情報１１２とマイクロブログ画像情報１１３とについてそれぞれカテゴリに分類し、カテゴリ毎にマイクロブログ文字情報１１２とマイクロブログ画像情報１１３とを対応づけしたため、投稿情報中に複数の文字情報と画像情報とが混在して時系列表示される情報を分類することができる。
【００８５】
また、文章と画像ＵＲＬが一つの投稿情報に含まれている場合等に、文章と画像ＵＲＬとを含む投稿情報を分類結果として表示すると、文章のカテゴリと画像のカテゴリが必ずしも一致しないが、この場合に比べて、文字情報と画像情報との内容的な一致の精度を向上することができる。
【００８６】
［第２の実施の形態］
図１１は、第２の実施の形態に係るマイクロブログ分類サーバの構成の一例を示すブロック図である。第１の実施の形態と同一の構成については、同一の符号を付している。
【００８７】
第２の実施の形態に係るマイクロブログ分類サーバ１Ａは、第１の実施の形態のマイクロブログ分類サーバ１の構成にカテゴリ対応情報１１７を追加したものである。また、カテゴリ対応付手段１０３の動作が異なるものである。
【００８８】
図１２は、カテゴリ対応情報１１７の構成の一例を示す概略図である。
【００８９】
カテゴリ対応情報１１７は、文字情報のカテゴリと画像情報のカテゴリを対応付けるカテゴリを示す総合カテゴリ欄と、マイクロブログ文字情報１１２が分類されるカテゴリを示す文字情報カテゴリ欄と、マイクロブログ画像情報１１３が分類されるカテゴリを示す画像情報カテゴリ欄とを有する。
【００９０】
（第２の実施の形態の動作）
第２の実施の形態の動作は、以下に示す動作以外については第１の実施の形態の動作と同様であるため、説明を省略する。
【００９１】
カテゴリ対応付手段１０３は、図６に示すマイクロブログ文字情報分類結果１１４と、図７に示すマイクロブログ画像情報分類結果１１５とを、カテゴリ欄に示されたカテゴリ及びカテゴリ対応情報１１７に基づいて対応付け、マイクロブログ情報分類結果１１６として記憶部１１に記憶する。
【００９２】
例えば、画像情報は画像解析によって分類されるものであるため、「邪魔」や「残念」という主観的なカテゴリには分類されず「行列」のような客観的なカテゴリに分類され、第１の実施の形態では「邪魔」や「残念」等のカテゴリに分類された文字情報とは直接的には対応付けられることはないが、第２の実施の形態においては、「行列」のカテゴリに分類された画像情報と、「邪魔」や「残念」等のカテゴリに分類された文字情報とは、総合カテゴリが「ネガティブ」と設定されている場合には、同一のカテゴリとして対応づけられる。
【００９３】
（第２の実施の形態の効果）
上記した第２の実施の形態によると、カテゴリ対応付手段１０３が文字情報と画像情報とを対応付ける際に、カテゴリの完全一致に代えてカテゴリ対応情報１１７に基づいて対応付ける構成としたため、第１の実施の形態に比べて上位概念化したカテゴリによりマイクロブログを分類することができる。
【００９４】
なお、カテゴリ対応付手段１０３は、カテゴリ以外のパラメータにより画像情報と文字情報とを対応付けるものであってもよい。例えば、画像情報と文字情報とが時間情報を有する場合、当該時間情報が互いに一定時間内のものを対応付けの条件に用いても良い。また、画像情報と文字情報とがユーザ情報を有する場合、当該ユーザ情報が一致するものを対応付けの条件に用いても良い。また、画像情報と文字情報とがＧＰＳ情報等の場所情報を有する場合、当該場所情報が一致するものを対応付けの条件に用いても良い。
【００９５】
また、文字情報分類手段１０１及び画像情報分類手段１０２は、カテゴリとの関連性をスコアによって数値化してもよく、カテゴリ対応付手段１０３は、スコアに基づいて文字情報分類手段１０１及び画像分類手段１０２を対応付してもよい。
【００９６】
［他の実施の形態］
なお、本発明は、上記実施の形態に限定されず、本発明の趣旨を逸脱しない範囲で種々な変形が可能である。例えば、マイクロブログとしてはＴｗｉｔｔｅｒに限らず、Ｆａｃｅｂｏｏｋ（登録商標）等のように比較的短い文章が投稿されるものであって、文字情報と画像情報(静止画、動画やこれらの情報のリンク先情報も含む)が混在し、それらが時系列で大量に表示されるようなものであれば種類を問わない。また、投稿情報としてメールのメッセージ等を対象としてもよい。
【００９７】
上記実施の形態では制御部１０内の各手段１００−１０４の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００９８】
１、１Ａ      マイクロブログ分類サーバ
２     マイクロブログサーバ
３     ウェブサーバ
４     端末
５     ネットワーク
６     マイクロブログ分類システム
１０   制御部
１１   記憶部
１２   通信部
４０   ウェブページ表示画面
１００ マイクロブログ情報取得手段
１０１ 文字情報分類手段
１０２ 画像情報分類手段
１０３ カテゴリ対応付手段
１０４ 分類結果出力手段
１１０ マイクロブログ分類プログラム
１１１ マイクロブログ情報
１１２ マイクロブログ文字情報
１１３ マイクロブログ画像情報
１１４ マイクロブログ文字情報分類結果
１１５ マイクロブログ画像情報分類結果
１１６ マイクロブログ情報分類結果
１１７ カテゴリ対応情報
４００ タイトル
４０１ａ      画像表示領域
４０１ｂ      文字表示領域
【図１】
2014021645.tif 000003
【図２】
2014021645.tif 000004
【図３】
2014021645.tif 000005
【図４】
2014021645.tif 000006
【図５】
2014021645.tif 000007
【図６】
2014021645.tif 000008
【図７】
2014021645.tif 000009
【図８】
2014021645.tif 000010
【図９】
2014021645.tif 000011
【図１０】
2014021645.tif 000012
【図１１】
2014021645.tif 000013
【図１２】
2014021645.tif 000014